(57)【要約】      （修正有）【課題】リフター上に支持された部品の傾斜防止を保証し、生産コストの低減に役立つ同期リフターおよび昇降テーブルを提供する。【解決手段】同期リフターの保持機構は、可動装置を保持する第一ねじりスプリング８１と、第一接続アセンブリと、第一ねじりスプリングの一端が第一接続アセンブリと固定され、第一ねじりスプリングの他端と固定されたスイッチと、を含み、スイッチが回転すると、第一ねじりスプリングがねじられ、第一ねじりスプリングの内孔直径が大きくなり、可動装置のロックが解除される。【選択図】図２
0003227093.tif 000002
【実用新案登録請求の範囲】
【請求項１】
同期リフターであって、第一内側固定管および第二内側固定管、さらに同期機構を含む、
同期機構は、
一端が第一内側固定管に嵌合する第一ブラケットと、一端が第二内側固定管に嵌合する第二ブラケットと、
第一ブラケットと第二ブラケットとの間にまたがる動力伝達部材と、動力伝達部材の一端が第一ブラケットの他端に結合され、動力伝達部材の他端が第二ブラケットの他端に結合される、
第一可撓性牽引部材と、該第一可撓性牽引部材の一端が第二内側固定管に接続され、第一可撓性牽引部材が第二ブラケットの一端、第一ブラケットの一端、および第一ブラケットの他端に柔軟に係合された後、第一可撓性牽引部材の他端が第一内側固定管に接続される、
第二可撓性牽引部材と、該第二可撓性牽引部材の一端が第一内側固定管に接続され、第二可撓性牽引部材が第一ブラケットの一端、第二ブラケットの一端、および第二ブラケットの他端に柔軟に係合された後、第二可撓性牽引部材の他端が第二内側固定管に接続される、
リニアアクチュエータと、該リニアアクチュエータの動力出力部が第一可撓性牽引部材、第二可撓性牽引部材、第一ブラケット、および第二ブラケットのうちの１つに接続される、
ロック機構と、該ロック機構がリニアアクチュエータの動力出力部と協働してリニアアクチュエータの出力部の変位を制限し、またはロック機構が第一可撓性牽引部材および第二可撓性牽引部材の一方と協働して第一可撓性牽引部材または第二可撓性牽引部材の変位を制限し、またはロック機構が第一ブラケットおよび第二ブラケットの一方と協働して第一ブラケットおよび第二ブラケットの変位を制限する、
ロック機構を駆動して、リニアアクチュエータ、第一可撓性牽引部材、第二可撓性牽引部材、第一ブラケット、および第二ブラケットの一方から分離するためのロック解除機構と、を含む、
ロック解除機構がロック機構に接続される、ことを特徴とする、
同期リフター。
【請求項２】
前記ロック機構は保持機構である、ことを特徴とする、
請求項１に記載の同期リフター。
【請求項３】
前記保持機構は、
リニアアクチュエータまたは第一可撓性牽引部材または第二可撓性牽引部材を保持するための第一ねじりスプリングと、
第一ねじりスプリングの一端が第一接続部材に固定された第一接続部材と、
ねじりスプリングの他端に固定されたスイッチと、スイッチが回転すると、第一ねじりスプリングがねじれ、第一ねじりスプリングの内孔直径が大きくなり、リニアアクチュエータまたは第一可撓性牽引部材または第二可撓性牽引部材へのロックを解除する、ことを特徴とする、
請求項２に記載の同期リフター。
【請求項４】
前記保持機構は、
リニアアクチュエータまたは第一可撓性牽引部材または第二可撓性牽引部材を保持するための第二ねじりスプリングと、
第二ねじりスプリングの一端が第二接続部材に固定された第二接続部材と、
第二ねじりスプリングの他端に固定されたスイッチと、スイッチが回転すると、第二ねじりスプリングがねじれ、第二ねじりスプリングの内孔直径が大きくなり、リニアアクチュエータまたは第一可撓性牽引部材または第二可撓性牽引部材へのロックを解除する、ことを特徴とする、
請求項３に記載の同期リフター。
【請求項５】
第一接続部材は、
リニアアクチュエータまたは第一可撓性牽引部材または第二可撓性牽引部材に嵌着された第一ケーシングと、
第一ケーシングと固定接続された第一固定シートと、を含む、ことを特徴とする、
請求項３に記載の同期リフター。
【請求項６】
前記保持機構は、
第一保持アームと、
第一保持アーム８９の中部にヒンジ接続された第二保持アームと、
弾性部材と、を含む、
弾性部材の一端は第一保持アームに接続され、弾性部材の他端は第二保持アームの一端に接続され、弾性部材が発生した弾性作用力は、第一保持アームおよび第二保持アームによりリニアアクチュエータまたは第一可撓性牽引部材または第二可撓性牽引部材を保持させる、ことを特徴とする、
請求項２に記載の同期リフター。
【請求項７】
前記保持機構は、
リニアアクチュエータまたは第一可撓性牽引部材または第二可撓性牽引部材を保持するためのねじりスプリングと、
ねじりスプリングの両端間に形成された角度を第一角度と第二角度との間で変化させるためのストップピースと、を含む、
該ストップピース上にねじりスプリングの両端を移動させるための第一孔および第二孔が設けられ、ねじりスプリングの一端は第一孔を貫通し、ねじりスプリングの他端は第二孔を貫通する、ことを特徴とする、
請求項２に記載の同期リフター。
【請求項８】
前記ロック機構は、歯噛合機構であり、前記リニアアクチュエータ、第一可撓性牽引部材、第二可撓性牽引部材、第一ブラケット、第二ブラケットのうちの１つに前記歯噛合機構と係合された歯部が設けられる、ことを特徴とする、
請求項１に記載の同期リフター。
【請求項９】
前記リニアアクチュエータは常時開状態のガススプリングである、ことを特徴とする、
請求項１〜８のいずれか一項に記載の同期リフター。
【請求項１０】
昇降テーブルであって、テーブルトップを含み、さらに、請求項１〜８のいずれか一項に記載の同期リフターを含む、ことを特徴とする、
昇降テーブル。
【考案の詳細な説明】
【技術分野】
【０００１】
本考案は、同期リフターおよび昇降テーブルに関する。
【背景技術】
【０００２】
テーブルは、生活必需品として、生活、仕事および学校でよく使われ、一般的なテーブルは、通常、テーブルトップとレッグで固定接続され、レッグの長さも固定され、それによりテーブルトップ全体の高さが固定されて調整不可能になる。様々な適用環境、および様々な人々のニーズに応じて、テーブルの高さ、自動化、快適性への要件がますます高くなっている。
【０００３】
ガススプリングを用いてテーブルのレッグ支持面として、テーブルの下面にはガススプリングの開閉を制御する制御アセンブリが取り付けられるものがあり、該制御アセンブリは、ケーブルなどによって１つの接続アセンブリ上のケーブルコネクタに接続され（ケーブルコネクタは接続アセンブリにヒンジ接続される）、該ケーブルコネクタの他端は、ガススプリングのスイッチに当接し、テーブルを昇降させる必要がある場合、使用者は制御アセンブリを制御することによってケーブルを介して動力を伝達してケーブルコネクタを回転させることにより、ガススプリングのスイッチをオンにし、それによって、ガススプリングは、使用者のニーズに応じて昇降する。
【０００４】
テーブル両端の脚部はガススプリングによって支持されるため、テーブルを昇降させるときに、ガススプリングを同期させる必要があり、そうでなければ片側を上昇または下降させ、反対側はまだ動かない状態にあると、テーブルトップを傾斜させ、例えば、テーブルトップを下降させる必要がある場合、オペレータは、テーブルの一端に大きな下向きの力をかけ、他端に小さな下向きの力をかけると、テーブルを傾斜させやすい。
【考案の概要】
【０００５】
本考案の目的は、同期リフター上に支持された部品が傾斜しないことを保証する同期リフターおよび昇降テーブルを提供することである。
上記技術的問題を解決する技術的解決手段は以下のとおりである、
同期リフターであって、第一内側固定管および第二内側固定管、さらに同期機構を含む、
同期機構は、
一端が第一内側固定管に嵌合する第一ブラケットと、
一端が第二内側固定管に嵌合する第二ブラケットと、
第一ブラケットと第二ブラケットとの間にまたがる動力伝達部材と、動力伝達部材の一端が第一ブラケットの他端に結合され、動力伝達部材の他端が第二ブラケットの他端に結合される、
【０００６】
第一可撓性牽引部材と、該第一可撓性牽引部材の一端が第二内側固定管に接続され、第一可撓性牽引部材が第二ブラケットの一端、第一ブラケットの一端、および第一ブラケットの他端に柔軟に係合された後、第一可撓性牽引部材の他端が第一内側固定管に接続される、
【０００７】
第二可撓性牽引部材と、該第二可撓性牽引部材の一端が第一内側固定管に接続され、第二可撓性牽引部材が第一ブラケットの一端、第二ブラケットの一端、および第二ブラケットの他端に柔軟に係合された後、第二可撓性牽引部材の他端が第二内側固定管に接続される、
【０００８】
リニアアクチュエータと、該リニアアクチュエータの動力出力部が第一可撓性牽引部材、第二可撓性牽引部材、第一ブラケット、および第二ブラケットのうちの１つに接続される、
【０００９】
ロック機構と、該ロック機構がリニアアクチュエータの動力出力部と協働してリニアアクチュエータの出力部の変位を制限し、またはロック機構が第一可撓性牽引部材および第二可撓性牽引部材の一方と協働して第一可撓性牽引部材または第二可撓性牽引部材の変位を制限し、またはロック機構が第一ブラケットおよび第二ブラケットの一方と協働して第一ブラケットおよび第二ブラケットの変位を制限する、
【００１０】
ロック機構を駆動して、リニアアクチュエータ、第一可撓性牽引部材、第二可撓性牽引部材、第一ブラケット、および第二ブラケットの一方から分離するためのロック解除機構と、を含む、
ロック解除機構がロック機構に接続される。
【００１１】
本考案の利点は、ロック機構によるリニアアクチュエータの動力出力部、第一可撓性牽引部材、第二可撓性牽引部材、第一ブラケット、および第二ブラケットのうちの１つに対するロックを解除することによって、駆動装置を作動させ、駆動装置の出力端に接続された可撓性接続部材を移動させて対応するブラケットに動力を伝達し、かつ、動力伝達部材を該ブラケットによって昇降させ、続いて動力伝達部材によって他方のブラケットを昇降させ、そして他方のブラケットによって別の可撓性牽引部材を移動させることである。したがって、本考案の同期リフターは、製品の両端部での昇降の同期を確保し、製品の使用過程において、製品が昇降中に両端部の昇降大きさの不一致による傾斜が防止される。本考案におけるアクチュエータが１つである場合、同期機構の昇降を１つの駆動装置で駆動することができ、構造が簡単であるだけでなく、コストを低減することができる。
【図面の簡単な説明】
【００１２】
【図１】図１は本考案の昇降テーブルの構造概略図である。
【図２】図２は図１に基づいてデスクトップを隠した後の本考案の第一同期リフターの概略図である。
【図３】図３は図２に基づいて第二内側固定管および第二可動外側管を隠した後の概略図である。
【図４】図４は第一ブラケットと第一回転部品、第二回転部品および第三回転部品との組み立て概略図である。
【図５】図５は第二ブラケットと第四回転部品、第五回転部品および第六回転部品との組み立て概略図である。
【図６】図６は図２における動力伝達部材の概略図である。
【図７】図７は本考案における第一ロック機構とリニアアクチュエータとの組み立て概略図である。
【図８】図８は図７に基づいて一部の部品を隠した後の断面図である。
【図９】図９は本考案における第一種類のロック機構の一部の部品を隠した後の概略図である。
【図１０】図１０は本考案における第二種類の同期リフターの概略図である。
【図１１】図１１は本考案における第二種類のロック機構とリニアアクチュエータとの組み立て概略図である。
【図１２】図１２は本考案における第三種類のロック機構とリニアアクチュエータとの組み立て概略図である。
【図１３】図１３は本考案における第四種類のロック機構とリニアアクチュエータとの組み立て概略図である。
【００１３】
８０−ロック機構、８１−第一ねじりスプリング、８１ａ−一端、８１ｂ−他端、８２−第一ケーシング、８３−本体、８３ａ−第二固定シート、８４−ケース、８５−スイッチ、８６−第二ねじりスプリング、８６ａ−一端、８６ｂ−他端、８７−第二ケーシング、８８−第一保持アーム、８９−第二保持アーム、９０−弾性部材、９１−ねじりスプリング、９２−ストップピース、９３−シート、９４−軸、９５−リターンスプリング
１００−ロック解除機構
【考案を実施するための形態】
【００１４】
図１に示すとおり、昇降テーブルであって、図１および２に示すとおり、１つまたは複数の実施形態では、テーブルは、テーブルトップ１０、第一支持部材２０、第二支持部材２１、および同期リフターを含み、テーブルトップ１０は同期リフターの上部に取り付けられ、第一支持部材２０および第二支持部材２１は同期リフターの下部にそれぞれ接続される。
【００１５】
図２に示すとおり、同期リフターは、第一内側固定管５０、第二内側固定管６０、および同期機構を含み、同期機構は、第一ブラケット４０、第二ブラケット４１、動力伝達部材７０、第一可撓性牽引部材４２、第二可撓性牽引部材４３、リニアアクチュエータ３０、ロック機構８０、およびロック解除機構１００を含み、以下は、各部分およびそれらの間の関係について詳細に説明する、
【００１６】
図２〜図４に示すとおり、第一ブラケット４０の一端は第一内側固定管５０内に嵌合され、第一ブラケット４０の他端は第一内側固定管５０の外に露出される。第一ブラケット４０は、第一ブラケット本体４１１、第一回転部材４１２、第二回転部材４１３、および第三回転部材４１４を含み、このうち、第一ブラケット本体４１１の一端は第一内側固定管５０内に嵌合され、第一ブラケット本体４１１の他端は第一内側固定管５０の外に露出される。第三回転部材４１４は第一ブラケット本体４１１の一端に回転可能に取り付けられ、第一ブラケット本体４１１の他端に第一孔が設けられ、１つの第一軸３０１の端部は、第一回転部材４１２、第二回転部材４１３を貫通し、第一軸３０１の両端は前記第一孔を貫通した後に動力伝達部材７０に接続される。
【００１７】
図２〜図４に示すとおり、第一ブラケット本体４１１の断面はＵ字形であり、好ましくは、第一ブラケット本体４１１は溝形鋼であり、第一回転部材４１２および第二回転部材４１３はすべて第一ブラケット本体４１１の一端の溝内に配置され、前記第一軸３０１は第一回転部材４１２および第二回転部材４１３を貫通し、第一回転部材４１２および第二回転部材４１３は、第一回転部材４１２および第二回転部材４１３が回転できるように第一軸３０１によって支持させる。第三回転部材４１４は第一ブラケット本体４１１の他端の溝内に配置され、第三回転部材４１４は、第三回転部材４１４が回転できるように第一マンドレル（図示せず）によって支持される。第一回転部材４１２、第二回転部材４１３、および第三回転部材４１４は、ベアリングまたはローラまたはスプロケットのいずれかである。
【００１８】
図２〜図５に示すとおり、第二ブラケット４１の一端は第二内側固定管６０内に嵌合され、第二ブラケット４１の他端は第一内側固定管５０の外に露出される。第二ブラケット４２は、第二ブラケット本体４２１、第四回転部材４２２、第五回転部材４２３、および第六回転部材４２４を含み、このうち、第二ブラケット本体４２１の一端は第二内側固定管６０内に嵌合され、第二ブラケット本体４２１の他端は第二内側固定管６０の外に露出される。第六回転部材４２４は第二ブラケット本体４２１の一端に回転可能に取り付けられる。第二ブラケット本体４２１の他端に第二孔が設けられ、１つの第二軸３１１の端部は、第四回転部材４２２、第五回転部材４２３を貫通し、第二軸３１１の両端は前記第二孔を貫通した後に動力伝達部材７０に接続される。
【００１９】
図２〜図５に示すとおり、第二ブラケット本体４２１の断面はＵ字形であり、好ましくは、第二ブラケット本体４２１は溝形鋼であり、第四回転部材４２２および第五回転部材４２３はすべて第二ブラケット本体４２１の一端の溝内に配置され、前記第二軸３１１は第四回転部材４２２および第五回転部材４２３を貫通し、第四回転部材４２２および第五回転部材４２３は、第四回転部材４２２および第五回転部材４２３が回転できるように第二軸３１１によって支持させる。第六回転部材４２４は第二ブラケット本体４２１の他端の溝内に配置され、第六回転部材４２４は、第六回転部材４２４が回転できるように第二マンドレルによって支持される。第四回転部材４２２、第五回転部材４２３、および第六回転部材４２４は、ベアリングまたはローラまたはスプロケットのいずれかである。
【００２０】
図２〜図５に示すとおり、             第一可撓性牽引部材４２の一端は第二内側固定管６０と固定接続され、第一可撓性牽引部材４２は第二ブラケット４１の一端、第一ブラケット４０の一端、および第一ブラケット４０の他端に柔軟に係合された後、第一可撓性牽引部材４２の他端は第一内側固定管５０と固定接続される。好ましくは、前記第一可撓性牽引部材４２は、第五回転部材４２３および第一回転部材４１２と柔軟に係合され、該柔軟な係合はベルトとプーリーの係合方法と同様である。
【００２１】
図２〜図５に示すとおり、             第二可撓性牽引部材４３の一端は第一内側固定管５０と固定接続され、第二可撓性牽引部材４２は第一ブラケット４０の一端、第二ブラケット４１の一端、および第二ブラケット４１の他端に柔軟に係合された後、第二可撓性牽引部材４３の他端は第二内側固定管６０と固定接続される。前記第二可撓性牽引部材は、第二回転部材４１３および第四回転部材４２２と柔軟に係合され、該柔軟な係合はベルトとプーリーの係合方法と同様である。
【００２２】
図２〜図５に示すとおり、前記第一内側固定管５０は、第一内側管５０ａ、第一接続部材５１、および第二接続部材５２を含み、第一内側管５０ａの一端は第一支持部材２０に固定され、第一接続部材５１の少なくとも一部は第一内側管５０ａ内に配置され、かつ、第一内側管５０ａに固定される。第二接続部材５２は第一内側管５０ａまたは第一ブラケット本体４１１に固定される。
【００２３】
図２〜図９に示すとおり、前記第二内側固定管６０は、第二内側管６０ａ、第三接続部材６１、および第四接続部材６２を含み、第二内側管６０ａの一端は第二支持部材２１に固定され、第三接続部材６１の少なくとも一部は第二内側管６０ａ内に配置され、かつ、第二内側管６０ａに固定される。第四接続部材６２は第二内側管６０ａまたは第二ブラケット本体４２１に固定される。
【００２４】
図２〜図５に示すとおり、第一可撓性牽引部材４２の一端は第六回転部材４２４と柔軟に係合された後、第三接続部材６１と固定接続され、第一可撓性牽引部材４２の他端は第一接続部材５１と固定接続される。第二可撓性牽引部材４３の一端は第三回転部材４１４と柔軟に係合された後、第二接続部材５２と固定接続され、第二可撓性牽引部材４３の他端は第四接続部材６２と固定接続される。
【００２５】
図２〜図５に示すとおり、前記第一可撓性牽引部材４２および第二可撓性牽引部材４３は、それぞれロープ状部材またはベルト状部材またはワイヤまたはチェーンのいずれかである。第一可撓性牽引部材４２および第二可撓性牽引部材４３がロープ状部材またはベルト状部材またはワイヤを使用するとき、第一回転部材４１２、第二回転部材４１３、第三回転部材４１４、第四回転部材４２２、第五回転部材４２３および第六回転部材４２４はベアリングまたはローラを使用し、これらのベアリングまたはローラの外周面には第一可撓性牽引部材４２および第二可撓性牽引部材４３と適応するための溝が設けられる。
【００２６】
第一可撓性牽引部材４２および第二可撓性牽引部材４３チェーンを使用するとき、第一回転部材４１２、第二回転部材４１３、第三回転部材４１４、第四回転部材４２２、第五回転部材４２３および第六回動部材４２４はスプロケットである。
【００２７】
図２〜図５に示すとおり、動力伝達部材７０はビームおよびキャリアアーム（キャリアアームは図示せず）を含み、動力伝達部材７０はテーブルトップ１０に接続され、動力伝達部材７０は第一ブラケット４０と第二ブラケット４１との間に架け渡され、動力伝達部材７０の一端は第一ブラケット４０の他端に接続され、動力伝達部材７０の他端は第二ブラケット４１の他端に接続され、リニアアクチュエータ３０によって第一可撓性牽引部材４２または第二可撓性牽引部材４３または第一ブラケット４０または第二ブラケット４１を移動させると、例えば、リニアアクチュエータ３０によって第一可撓性牽引部材４２を移動させると、第一ブラケット４０を上昇させ、このとき、第一ブラケット４０は、第一ブラケット４０に接続された動力伝達部材７０の一端を上昇させるように駆動し、動力伝達部材７０全体を上昇させ、すなわち動力伝達部材７０の他端も上昇し、このとき、動力伝達部材７０によって第二ブラケット４１を上昇させ、第二ブラケット４１によって第二可撓性牽引部材４３を移動させる。したがって、本考案のリニアアクチュエータ３０は１つしか使用せず、リニアアクチュエータ３０の出力端部に電力が供給されると、動力伝達部材７０、第一可撓性牽引部材４２、第二可撓性牽引部材４３と第一ブラケット４０と第二ブラケット４１との間の関係によって、第一ブラケット４０および第二ブラケット４１を昇降させる可能性があり、動力伝達部材７０が動力を伝達するように機能することは明らかである。
【００２８】
図２〜図６に示すとおり、動力伝達部品７０は、側壁７０ａと底壁７０ｂを有し、側壁７０ａは４つのスロットを有し、４つの側壁７０ａと底壁７０ｂはスロット７０ｃを画定し、かつ、底壁の両端に開口７０ｄが設けられ、２つの開口７０ｄは、第一ブラケット４０、第二ブラケット４１、第一可撓性牽引部材４２、および第二可撓性牽引部材４３がそれぞれ動かされるときに着座位置を提供する。形成された溝７０ｃは、第一可撓性牽引部材４２および第二可撓性牽引部材４３が外側から見えないように、第一可撓性牽引部材４２および第二可撓性牽引部材４３を収容することができる。
【００２９】
図２〜図５に示すとおり、             リニアアクチュエータ３０の動力出力部３１は、第一可撓性牽引部材４２、第二可撓性牽引部材４３、第一ブラケット４１１、および第二ブラケット４２１のうちの１つに接続され、リニアドライブ３０の設置位置は、以下のいくつかの方法を使用することができ、
【００３０】
リニアアクチュエータ３０は動力伝達部材７０上に配置され、リニアアクチュエータ３０の動力出力部３１は第一可撓性牽引部材４２または第二可撓性牽引部材４３に接続され、本実施例において、リニアアクチュエータ３０の動力出力部３１は第一可撓性牽引部材４２に接続され、リニアアクチュエータ３０は常時開状態のガススプリングを使用することが好ましいため、ロック機構８０はリニアアクチュエータ３０の動力出力部３１を保持する。ガススプリングのピストンロッドは第一接続シート３２に固定され、該第一接続シート３２は動力伝達部材７０に固定接続され、動力出力部３１はガススプリングのシリンダ部分であり、動力出力部３１の一端に第二接続シート３３が取り付けられ、第二接続シートは好ましくは第一可撓性牽引部材４２に接続され、ガススプリングのピストンロッドは第一接続シート３２を介して動力伝達部材７０に固定接続され、したがって、ガススプリングのピストンロッドは移動できず、動力出力部３１はピストンロッドに対して移動可能である。
【００３１】
図２〜図９に示すとおり、             リニアアクチュエータ３０の動力出力部３１はロック機構８０と係合し、ロック機構８０はリニアアクチュエータの動力出力部３１の変位を規制し、前記ロック機構８０は保持機構である。前記保持機構は、第一ねじりスプリング８１、第一接続部材、スイッチ８５を含み、第一ねじりスプリング８１は、リニアアクチュエータ３０または第一可撓性牽引部材４２または第二可撓性牽引部材４３を保持し、第一ねじりスプリング８１が把持する対象がリニアアクチュエータ３０である場合、第一ねじりスプリング８１はリニアアクチュエータ３０の動力出力部３１を保持し、第一ねじりスプリング８１が把持する対象が第一可撓性牽引部材４２または第二可撓性牽引部材４３である場合、第一可撓性牽引部材４２または第二可撓性牽引部材４３上に接触面積を増大させるためのロッド状部材４３ａを設け（図１０に示すとおり）、第一ねじりスプリング８１はロッド状部材を保持する。
【００３２】
図２〜図９に示すとおり、第一ねじりスプリング８１の一端８１ａは第一接続部材に固定され、第一接続部材は、第一ケーシング８２および第一固定シートを含み、第一ケーシング８２はリニアアクチュエータ３０または第一可撓性牽引部材４２または第二可撓性牽引部材４３に嵌着され、第一ケーシング８２の一端に第一開口が設けられ、前記第一ねじりスプリング８１の一端８１ａは該第一開口に係止される。第一固定シートは第一ケーシング８２に固定接続され、第一固定シート８３は動力伝達部品７０に固定接続され、第一固定シートは、本体８３およびケース８４を含み、本体８３はケース８４に固定され、第一ケーシング８２はケース８４に固定される。第一固定シートはまた本体８３のみを含むことができ、本体８３は第一ケーシング８２に直接固定される。
【００３３】
図２〜図９に示すとおり、スイッチ８５は、第一ねじりスプリング８１の他端８１ｂに固定され、スイッチ８５が回転すると、第一ねじりスプリング８１がねじれ、第一ねじりスプリング８１の内孔直径が大きくなり、リニアアクチュエータ３０または第一可撓性牽引部材４２または第二可撓性牽引部材４３へのロックを解除する。
【００３４】
図２〜図９に示すとおり、前記保持機構は、第二ねじりスプリング８６、および第二接続部材をさらに含み、第二ねじりスプリング８６は、リニアアクチュエータ３０または第一可撓性牽引部材４２または第二可撓性牽引部材４３を保持し、第二ねじりスプリング８６の一端８６ａは第二接続部材に固定され、第二ねじりスプリング８６の他端８６ｂはスイッチ８５に固定され、スイッチ８５が回転すると、第二ねじりスプリング８６がねじれ、第二ねじりスプリング８６の内孔直径が大きくなり、リニアアクチュエータ３０または第一可撓性牽引部材４２または第二可撓性牽引部材４３へのロックを解除する。
【００３５】
図２〜図９に示すとおり、第二接続部材は、第二ケーシング８７および第二固定シート８３ａを含み、第二ケーシング８７はリニアアクチュエータ３０または第一可撓性牽引部材４２または第二可撓性牽引部材４３に嵌着され、第二ケーシング８７の一端に第二開口が設けられ、前記第二ねじりスプリング８６の一端は該第二開口に係止される。第二固定シート８３ａは第二ケーシング８７に固定接続され、第二固定シート８３ａは動力伝達部品７０に固定接続され、第二固定シート８３ａは前記ケース８４に嵌着され、かつケース８４と固定される。
【００３６】
図２〜図９に示すとおり、ロック解除機構１００は、ロック機構８０を駆動して、リニアアクチュエータ３０、第一可撓性牽引部材４２、第二可撓性牽引部材４３、第一ブラケット４１１、および第二ブラケット４２１の一方から分離させ、ロック解除機構１００はロック機構８０に接続される。ロック解除機構１００はプラテン機構およびケーブルを含み、プラテン機構のケーブルの一端に接続され、プラテン機構の他端は前記スイッチ８５に接続され、プラテン機構の作動によりケーブルが移動し、ケーブルがスイッチ８５を回転させることにより、第一ねじりスプリング８１および第二ねじりスプリング８６をねじれ、リニアアクチュエータ３０または第一可撓性牽引部材４２または第二可撓性牽引部材４３へのロックを解除する。
【００３７】
リニアアクチュエータ３０がシリンダ、油圧シリンダ、電動プッシュロッド、手動プッシュロッドなどのドライバも使用できる場合、ロック機構８０は第一可撓性牽引部材４２および第二可撓性牽引部材４３の一方と協働して第一可撓性牽引部材４２または第二可撓性牽引部材４３の変位を制限し、または、ロック機構８０は第一ブラケット４１１および第二ブラケット４２１の一方と協働して第一ブラケット４１１および第二ブラケット４２１の変位を制限する。
【００３８】
図１０に示すとおり、リニアアクチュエータ３０が動力伝達部材７０に取り付けられるとき、リニアアクチュエータ３０の少なくとも一部は第一内側固定管５０内に配置されてもよく、リニアアクチュエータ３０のそのような取り付け位置に対して、リニアアクチュエータ３０の動力出力部３１は第一ブラケット４１１または動力伝達部材７０または第一可撓性牽引部材４２に接続される。または、リニアアクチュエータ３０の少なくとも一部は第二内側固定管６０内に配置され、リニアアクチュエータ３０の動力出力部３１は第二ブラケット４２１の他端または動力伝達部材７０または第二可撓性牽引部材４３に接続される。本実施例において、リニアアクチュエータ３０は動力伝達部材７０上に配置され、リニアアクチュエータ３０の動力出力部３１は第一可撓性牽引部材４２に接続される。
本考案は上記実施形態に限定されるものではなく、前記保持機構は以下のような構造を使用することができる。
【００３９】
（ａ）図１１に示すとおり、保持機構は、第一保持アーム８８、第二保持アーム８９、および弾性部材９０を含み、第一保持アーム８８は第二保持アーム８９の中部にヒンジ接続され、弾性部材９０の一端は第一保持アーム８８に接続され、弾性部材９０の他端は第二保持アーム８９の一端に接続され、弾性部材９０が発生した弾性作用力は、第一保持アーム８８および第二保持アーム８９によりリニアアクチュエータ３０または第一可撓性牽引部材４２または第二可撓性牽引部材４３を保持させる。弾性部材９０は好ましくはねじりスプリングを使用し、第一保持アーム８８および第二保持アーム８９にケーブル孔が設けられ、ロック解除機構１００内のケーブルはケーブル孔を通過し、ロック解除機構１００は第一保持アーム８８および第二保持アーム８９に接続され、ロック解除機構１００が作動すると、弾性部材９０の作用力に抗して弾性部材９０を圧縮させるように第一保持アーム８８および第二保持アーム８９の一端は内向きに移動し、第一保持アーム８８および第二保持アーム８９の他端は外向きに移動し、リニアアクチュエータ３０または第一可撓性牽引部材４２または第二可撓性牽引部材４３への保持を解除する。
【００４０】
（ｂ）図１２に示すとおり、前記保持機構は、リニアアクチュエータ３０または第一可撓性牽引部材４２または第二可撓性牽引部材４３を保持するためのねじりスプリング９１、およびねじりスプリング９１の両端間に形成された角度を第一角度と第二角度との間で変化させるためのストップピース９２を含み、該ストップピース９２上にねじりスプリング９１の両端を移動させるための第一孔および第二孔が設けられ、ねじりスプリング９１の一端は第一孔を貫通し、ねじりスプリング９１の他端は第二孔を貫通し、ねじりスプリング９１の一端の外径は第一孔の幅よりも小さく、ねじりスプリング９１の他端の外径は第二孔の幅よりも小さく、したがって、ねじりスプリング９１の他端は第一孔および第二孔内にそれぞれ移動することができる。ねじりスプリング９１の内径はリニアアクチュエータ３０または第一可撓性牽引部材４２または第二可撓性牽引部材４３がねじりスプリング９１を貫通する外径より小さく、前記リニアアクチュエータ３０または第一可撓性牽引部材４２または第二可撓性牽引部材４３はねじりスプリング９１を貫通し、したがって、リニアアクチュエータ３０または第一可撓性牽引部材４２または第二可撓性牽引部材４３はねじりスプリング９１によって保持される。ねじりスプリング９１の一端は動力伝達部材７０に固定され、ねじりスプリング９１の他端はロック解除機構１００に接続される。ロック解除機構１００が作動すると、ねじりスプリング９１の一端を変位させてねじりスプリング９１がねじれ、ねじりスプリング９１の内径が大きくなり、それによって、リニアアクチュエータ３０または第一可撓性牽引部材４２または第二可撓性牽引部材４３へのロックを解除する。
【００４１】
（ｃ）図１３に示すとおり、前記ロック機能は、歯噛合機構であり、前記リニアアクチュエータ３０、第一可撓性牽引部材４２、第二可撓性牽引部材４３、第一ブラケット４２１、第二ブラケット４２２のうちの１つに前記歯噛合機構と係合された歯部Ａが設けられる。歯噛合機構は、シート本体９３、軸９４、およびリターンスプリング９５を含み、該シート本体９３の一端に歯部Ａと噛み合うための歯が設けられ、シート本体９３の一端は軸９４の一端に接続され、軸９４の他端はロック解除機構１００に接続され、本実施例において、歯噛合機構は動力伝達部材７０内に取り付けられ、動力伝達部材７０の側壁７０ａ上に軸孔が設けられ、軸９４の他端は側壁７０ａ上の軸孔を貫通した後にロック解除機構１００内のケーブルに接続され、前記リターンスプリング９５は軸９４上に嵌着され、リターンスプリング９５の一端はシート本体９３に当接され、リターンスプリング９５の他端は側壁７０ａに当接される。動力伝達部材７０にはガイドレールが設けられ、前記シート本体９３は前記スライドレールと協働してシート本体９３のガイドレール側への横移動を防止する。ロック状態では、スプリング９５が発生した作用力によってシート本体９３の歯と歯部Ａが噛み合うことによって、リニアアクチュエータ３０は移動できないようにする。ロック解除が必要な場合、ロック解除機構１００は、軸９４によってシート本体９３を移動させ、歯と歯部Ａとの噛み合いを解除する。シート本体９３が移動すると、リターンスプリング９５が圧縮され、同期リフターが所望の位置に移動するとロック解除機構１００が解除され、シート本体９３がリターンスプリング９５によってリセットされ、シート本体９３の歯と歯部が再び噛み合う。歯噛合機構は、動力伝達部品７０内に配置されたリニアアクチュエータ３０をロックするように動力伝達部材７０に取り付けることができる上に、歯噛合機構はまた、第一ブラケット本体４１１または第二ブラケット本体４２１をロックするように第一内側固定管５０または第二内側固定管６０に取り付けることができる。
【００４２】
図２〜図６に示すとおり、さらに第一可動外側管７１を含み、第一可動外側管７１の一端が動力伝達部材７０の一端に固定され、第一可動外側管７１は動力伝達部材７０の昇降に伴って昇降する。該第一可動外側管７１は第一内側固定管５０の上に嵌着され、すなわち第一可動外側管７１は第一内側管５０ａの上に嵌着される。第一外側可動管７１と第一内側管５０ａとの間に第一スライドガイドアセンブリ（図示せず）が設けられ、好ましくは、第一内側管５０ａに第一スライドガイドアセンブリが取り付けられ、第一スライドガイドアセンブリは第一内側筒５０ａの他端の外周面に固定され、第一スライドガイドアセンブリは、第一可動外側筒７１の内壁面と協働して第一可動外側筒７１の上昇をガイドする。第一スライドガイドアセンブリの構造は、ＣＮ１０６３０８０３９Ａの特許に開示された転がり摩擦アセンブリの構造と同じであり、ここでは説明されない。
【００４３】
図２〜図１１に示すとおり、さらに第二可動外側管７２を含み、第二可動外側管７２の一端が動力伝達部材７０の他端に固定され、第二可動外側管７２は動力伝達部材７０の昇降に伴って昇降する。第二可動外側管７２は第二内側固定管６０の上に嵌着され、すなわち第二可動外側管７２は第二内側管６０ａの上に嵌着される。第一外側可動管７１と第一内側管５０ａとの間の第二スライドガイドアセンブリ（図示せず）であって、好ましくは、第二内側管６０ａに第二スライドガイドアセンブリが取り付けられ、第二スライドガイドアセンブリは、第二可動外側筒７２の内壁面と協働して第二可動外側筒７２の上昇をガイドする。第二スライドガイドアセンブリの構造は、第一スライドガイドアセンブリの構造と同じであり、ここでは説明されない。
【００４４】
図２〜図１３に示すとおり、第一ブラケット４０および第二ブラケット４１が昇降すると、第一可動外側管７１が第一ブラケット４０を遮断するため、第二可動外側管７２が第二ブラケット４１を遮断し、したがって、第一ブラケット４０および第二ブラケット４１が外部に露出されて見栄えが損なわれることが防止される。
本考案の作動過程について、以下の上下左右方向はいずれも図面中の位置から見たものであり、請求項の範囲を限定するものではない。
【００４５】
上昇過程について、ロック解除機構１００がリニアアクチュエータ３０のロックを解除した後、リニアアクチュエータ３０が作動し、リニアアクチュエータ３０の動力伝達端部３１が突出して第一可撓性牽引部材４２を左側に移動させ、第一可撓性牽引部材４２の駆動力が第一ブラケット本体４１１に作用して第一ブラケット本体４１１を上昇させ、第一ブラケット本体４１１が動力伝達部材７０の一端を上昇させるように駆動し、それによって、動力伝達部材７０全体が上昇し、すなわち、動力伝達部材７０の他端も上昇し、それによって、動力伝達部材７０によって第二ブラケット本体４２１を上昇させ、第二ブラケット本体４２１によって第二可撓性牽引部材４３を右へ移動させる。
【００４６】
下降過程について、リニアアクチュエータ３０の動力伝達端部３１が後退し、第一可撓性牽引部材４２の一端が第三接続部材６１に固定されるため、第一可撓性牽引部材４２と第二ブラケット本体４２１が柔軟に協働する部分を右に移動させ、第一可撓性牽引部材４２の動力が第一ブラケット本体４１１に作用して第一ブラケット本体４１１を下降させ、第一ブラケット本体４１１によって動力伝達部材７０の一端を下降させ、それによって、動力伝達部材７０全体が下降し、すなわち、動力伝達部材７０の他端も下降し、それによって、動力伝達部材７０によって第二ブラケット本体４２１を下降させ、第二ブラケット本体４２１によって第二可撓性牽引部材４３を左に移動させる。
【００４７】
本考案は上記実施形態に限定されるものではなく、例えば、前記第一ブラケット４０および第二ブラケット４１の両端は湾曲し、前記第一可撓性牽引部材４２および第二可撓性牽引部材４３はそれぞれ第一ブラケットおよび第二ブラケットの上端に係合される。このような方式は、第一ブラケット４０に第一回転部材４１２、第二回転部材４１３、および第三回転部材４１４を取り付ける必要がなく、また第二ブラケット４１に第四回転部材４２２、第五回転部材４２３、および第六回転部材４２４を取り付ける必要がない。このような方式を使用すると、第一可撓性牽引部材４２および第二可撓性牽引部材４３がベルト状部材またはロープ状部材を使用するとき、第一可撓性牽引部材４２は第一ブラケット４０と第二ブラケット４１との間に面接触を形成し、第一可撓性牽引部材４２が移動するとき、第一可撓性牽引部材４２と第二可撓性牽引部材４３との間、および第一ブラケット４０と第二ブラケット４１との間に面と面の摩擦力が生じる。第一可撓性牽引部材４２および第二可撓性牽引部材４３がワイヤを使用するとき、第一可撓性牽引部材４２は、第一ブラケット４０と第二ブラケット４１との間に線と面の接触を形成し、第一可撓性牽引部材４２が移動するとき、第一可撓性牽引部材４２と第二可撓性牽引部材４３との間、および第一ブラケット４０と第二ブラケット４１との間に線と面の摩擦力が生じる。このように、第一可撓性牽引部材４２および第二可撓性牽引部材４３がベルト状部材またはロープ状部材またはワイヤを使用するかにかかわらず、第一可撓性牽引部材４２および第二可撓性牽引部材４３が移動するとき、第一ブラケット４０と第二ブラケット４１との間の摩擦力はいずれも第一実施形態よりも大きいため、実際の使用においてはブラケットの端部に回転部材を設けた構造が好ましい。
また、第一ブラケット本体４１１および第二ブラケット本体４２１はまた溶接方法で動力伝達部材７０に接続されてもよい。
【符号の説明】
【００４８】
１０−テーブルトップ
２０−第一支持部材、２１−第二支持部材
３０−リニアアクチュエータ、３１−動力出力部、３２−第一接続シート、３３−第二接続シート、３０１−第一軸、３１１−第二軸、Ａ−歯部
４０−第一ブラケット、４１１−第一ブラケット本体、４１２−第一回転部材、４１３−第二回転部材、４１４−第三回転部材
４１−第二ブラケット、４２１−第二ブラケット本体、４２２−第四回転部材、４２３−第五回転部材、４２４−第六回転部材
４２−第一可撓性牽引部材
４３−第二可撓性牽引部材、４３ａ−ロッド状部材
５０−第一内側固定管、５０ａ−第一内側管、５１−第一接続部材、５２−第二接続部材
６０−第二内側固定管、６０ａ−第二内側管、６１−第三接続部材、６２−第四接続部材
７０−動力伝達部材、７０ａ−側壁、７０ｂ−底壁、７０ｃ−溝、７０ｄ−開口
７１−第一可動外側管、７２−第二可動外側管
【図１】
0003227093.tif 000003
【図２】
0003227093.tif 000004
【図３】
0003227093.tif 000005
【図４】
0003227093.tif 000006
【図５】
0003227093.tif 000007
【図６】
0003227093.tif 000008
【図７】
0003227093.tif 000009
【図８】
0003227093.tif 000010
【図９】
0003227093.tif 000011
【図１０】
0003227093.tif 000012
【図１１】
0003227093.tif 000013
【図１２】
0003227093.tif 000014
【図１３】
0003227093.tif 000015
【手続補正書】
【提出日】令和2年4月21日(2020.4.21)
【手続補正１】
【補正対象書類名】実用新案登録請求の範囲
【補正対象項目名】全文
【補正方法】変更
【補正の内容】
【実用新案登録請求の範囲】
【請求項１】
同期リフターであって、第一内側固定管および第二内側固定管、さらに同期機構を含む、
同期機構は、
一端が第一内側固定管に嵌合する第一ブラケットと、一端が第二内側固定管に嵌合する第二ブラケットと、
第一ブラケットと第二ブラケットとの間にまたがる動力伝達部材と、動力伝達部材の一端が第一ブラケットの他端に結合され、動力伝達部材の他端が第二ブラケットの他端に結合される、
第一可撓性牽引部材と、該第一可撓性牽引部材の一端が第二内側固定管に接続され、第一可撓性牽引部材が第二ブラケットの一端、第一ブラケットの一端、および第一ブラケットの他端に柔軟に係合された後、第一可撓性牽引部材の他端が第一内側固定管に接続される、
第二可撓性牽引部材と、該第二可撓性牽引部材の一端が第一内側固定管に接続され、第二可撓性牽引部材が第一ブラケットの一端、第二ブラケットの一端、および第二ブラケットの他端に柔軟に係合された後、第二可撓性牽引部材の他端が第二内側固定管に接続される、
リニアアクチュエータと、該リニアアクチュエータの動力出力部が第一可撓性牽引部材、第二可撓性牽引部材、第一ブラケット、および第二ブラケットのうちの１つに接続される、
ロック機構と、該ロック機構がリニアアクチュエータの動力出力部と協働してリニアアクチュエータの出力部の変位を制限し、またはロック機構が第一可撓性牽引部材および第二可撓性牽引部材の一方と協働して第一可撓性牽引部材または第二可撓性牽引部材の変位を制限し、またはロック機構が第一ブラケットおよび第二ブラケットの一方と協働して第一ブラケットおよび第二ブラケットの変位を制限する、
ロック機構を駆動して、リニアアクチュエータ、第一可撓性牽引部材、第二可撓性牽引部材、第一ブラケット、および第二ブラケットの一方から分離するためのロック解除機構と、を含む、
ロック解除機構がロック機構に接続される、ことを特徴とする、
同期リフター。
【請求項２】
前記ロック機構は保持機構であり、
前記保持機構は、
第一ねじりスプリングと、第一接続部材と、スイッチとを備え、
前記第一ねじりスプリングは、前記リニアアクチュエータまたは前記第一可撓性牽引部材または前記第二可撓性牽引部材を保持し、
前記第一ねじりスプリングの一端は、前記第一接続部材に固定され、
前記スイッチは、前記第一ねじりスプリングの他端に固定され、前記スイッチが回転すると、前記第一ねじりスプリングがねじれ、前記第一ねじりスプリングの内孔直径が大きくなり、前記リニアアクチュエータまたは前記第一可撓性牽引部材または前記第二可撓性牽引部材へのロックを解除する、ことを特徴とする、
請求項１に記載の同期リフター。
【請求項３】
前記保持機構は、さらに
第二ねじりスプリングと、第二接続部材とを備え、
前記第二ねじりスプリングは、前記リニアアクチュエータまたは前記第一可撓性牽引部材または前記第二可撓性牽引部材を保持し、
前記第二ねじりスプリングの一端は、前記第二接続部材に固定され、
前記第二ねじりスプリングの他端は、前記スイッチに固定され、前記スイッチが回転すると、前記第二ねじりスプリングがねじれ、前記第二ねじりスプリングの内孔直径が大きくなり、前記リニアアクチュエータまたは前記第一可撓性牽引部材または前記第二可撓性牽引部材へのロックを解除する、ことを特徴とする、
請求項２に記載の同期リフター。
【請求項４】
第一接続部材は、
リニアアクチュエータまたは第一可撓性牽引部材または第二可撓性牽引部材に嵌着された第一ケーシングと、
第一ケーシングと固定接続された第一固定シートと、を含む、ことを特徴とする、
請求項２に記載の同期リフター。
【請求項５】
前記保持機構は、
第一保持アームと、
第一保持アームの中部にヒンジ接続された第二保持アームと、
弾性部材と、を含み、
弾性部材の一端は第一保持アームに接続され、弾性部材の他端は第二保持アームの一端に接続され、弾性部材が発生した弾性作用力は、第一保持アームおよび第二保持アームによりリニアアクチュエータまたは第一可撓性牽引部材または第二可撓性牽引部材を保持させる、ことを特徴とする、
請求項２に記載の同期リフター。
【請求項６】
前記保持機構は、
リニアアクチュエータまたは第一可撓性牽引部材または第二可撓性牽引部材を保持するためのねじりスプリングと、
ねじりスプリングの両端間に形成された角度を第一角度と第二角度との間で変化させるためのストップピースと、を含む、
該ストップピース上にねじりスプリングの両端を移動させるための第一孔および第二孔が設けられ、ねじりスプリングの一端は第一孔を貫通し、ねじりスプリングの他端は第二孔を貫通する、ことを特徴とする、
請求項２に記載の同期リフター。
【請求項７】
前記ロック機構は、歯噛合機構であり、前記リニアアクチュエータ、第一可撓性牽引部材、第二可撓性牽引部材、第一ブラケット、第二ブラケットのうちの１つに前記歯噛合機構と係合された歯部が設けられる、ことを特徴とする、
請求項１に記載の同期リフター。
【請求項８】
前記リニアアクチュエータは常時開状態のガススプリングである、ことを特徴とする、
請求項１〜７のいずれか一項に記載の同期リフター。
【請求項９】
昇降テーブルであって、テーブルトップを含み、さらに、請求項１〜７のいずれか一項に記載の同期リフターを含む、ことを特徴とする、
昇降テーブル。